(57)【特許請求の範囲】
【請求項１】
製品を構成する多数の部品の部品情報を管理する部品情報管理装置であって、
前記多数の部品情報を該部品情報が示す部品の種類や属性に基づいて部品クラスにそれぞれ分類して格納した部品情報データベースと、
前記部品クラスや部品情報に、それぞれ特定の製品に運用できることを示す運用情報を設定する運用情報設定手段とを備え、
この運用情報設定手段により前記部品クラスに運用情報を設定した際に、運用情報が設定された部品クラスに属する部品情報すべてに前記部品クラスに設定された運用情報と同様の製品の運用情報が設定され、
前記運用情報が設定された後、前記部品情報に設定された前記運用情報が部品毎に変更可能とされ、同部品クラスに属する部品情報のうち、同製品に運用されることを示す運用情報が設定されているものと設定されていないものとが混在している場合、これら部品情報が属する部品クラスには、運用情報の混在を示す表示が行われることを特徴とする部品情報管理装置。
【請求項２】
請求項１記載の部品情報管理装置において、
製品情報を入力する製品情報入力手段と、
前記製品情報入力手段により入力された製品情報に基づいて前記部品情報データベースから、前記製品情報が示す製品に運用できることを示す運用情報が設定された部品クラスや該部品クラスに属する部品情報を検索する部品情報検索手段とを備えることを特徴とする部品情報管理装置。
【請求項３】
請求項１または２記載の部品情報管理装置において、
前記運用情報が示す製品の製品情報を格納した運用情報データベースと、
部品情報を入力する部品情報入力手段と、
前記部品情報入力手段により入力された部品情報と同一の部品情報を前記部品情報データベースから選択し、選択された部品情報に設定される運用情報に基づいて前記選択された部品情報が運用される製品の製品情報を前記運用情報データベースから検索する製品情報検索手段とを備えることを特徴とする部品情報管理装置。
【請求項４】
請求項２記載の部品情報管理装置と、この部品情報管理装置に通信回線を介して接続可能な検索端末とを備え、
前記検索端末には、前記部品情報管理装置に管理される部品情報データベース上の部品情報の検索を前記部品情報検索手段に要求する部品情報検索要求手段と、
この部品情報検索要求手段の要求により前記部品情報検索手段が検索した情報を表示する部品情報表示手段とが設けられていることを特徴とする部品情報管理システム。
【請求項５】
請求項３記載の部品情報管理装置と、この部品情報管理装置に通信回線を介して接続可能な検索端末とを備え、
前記検索端末には、前記部品情報管理装置に管理される運用情報データベース上の製品の製品情報の検索を前記製品情報検索手段に要求する製品情報検索要求手段と、
この製品情報検索要求手段の要求により前記製品情報検索手段が検索した情報を表示する製品情報表示手段とが設けられていることを特徴とする部品情報管理システム。
【発明の詳細な説明】
【０００１】
【発明の属する技術分野】
本発明は、特定の製品に運用できることを示す運用情報を部品の部品情報に設定する部品情報管理装置、部品情報管理システムに関するものである。
【０００２】
【背景の技術】
例えば、住宅等の製品に運用できる部品を発注する場合、その製品の種類によって運用できる部品と運用できない部品とがある。
そこで、多数の部品の部品情報、例えば部品名称と製品の製品名称とを、多数の部品がどの製品に運用されるかを示す運用情報に基づいて関連づけた状態で紙面に記載して一覧表を作成し、この一覧表をもとに特定の製品に運用できる部品や、特定の部品が運用される製品の製品名称を調べて発注している。
【０００３】
【発明が解決しようとする課題】
ところで、上記のような一覧表を作成する際には、記載される部品の部品名称は多数存在するので、これら多数の部品名称を記載してそれぞれの部品名称ごとに前記運用情報を設定しなければならず、その作業に手間がかかっていた。
また、作成した一覧表をもとに、ある製品に運用できる部品を判断するのは、記載された部品名称が多いため非常に時間がかかり、発注作業をスムーズに行うことができなかった。
さらに、ある製品の製品名称から、運用情報に基づいてこの製品に運用できる部品の部品名称を一覧表で見間違えてしまうことがあり、間違った部品を発注してしまうことがあった。
本発明は、上記事情に鑑みてなされたもので、多数の部品情報に、特定の製品に運用できることを示す運用情報を容易かつ迅速に設定でき、また、特定の製品に運用できる部品情報を検索したり、特定の部品情報が運用される製品の製品情報（例えば、製品名称）を検索することによって、発注作業をスムーズかつ確実に行うことのできる部品情報管理装置、部品情報管理システムを提供することを課題としている。
【０００４】
【課題を解決するための手段】
上記課題を解決するために、請求項１の発明は、例えば、図２〜図４に示すように、
製品を構成する多数の部品の部品情報１７を管理する部品情報管理装置２であって、
前記多数の部品情報１７を該部品情報１７が示す部品の種類や属性に基づいて部品クラス１８にそれぞれ分類して格納した部品情報データベース９cと、
前記部品クラス１８や部品情報１７に、それぞれ特定の製品１６に運用できることを示す運用情報２４を設定する運用情報設定手段（例えば、ＣＰＵ７等）とを備え、
この運用情報設定手段により前記部品クラス１８に運用情報２４を設定した際に、運用情報２４が設定された部品クラス１８に属する部品情報１７すべてに前記部品クラス１８に設定された運用情報２４と同様の製品１６の運用情報２４が設定され、
前記運用情報２４が設定された後、前記部品情報１７に設定された前記運用情報２４が部品毎に変更可能とされ、同部品クラス１８に属する部品情報１７のうち、同製品１６に運用されることを示す運用情報２４が設定されているものと設定されていないものとが混在している場合、これら部品情報１７が属する部品クラス１８には、運用情報２４の混在を示す表示が行われることを特徴とする。
【０００５】
請求項１の発明によれば、前記部品情報データベース９cと前記運用情報設定手段とを備え、前記運用情報設定手段により前記部品クラス１８に運用情報２４を設定した際に、運用情報２４が設定された部品クラス１８に属する部品情報１７すべてに前記部品クラス１８に設定された運用情報２４と同様の製品１６の運用情報２４が設定されるので、従来と異なり、多数の部品の部品情報１７（部品名称）を記載して、この記載した部品情報１７（部品名称）ごとにそれぞれ運用情報２４を設定する手間のかかる作業を行い、一覧表を作成しなくても、部品情報１７が属する部品クラス１８に前記運用情報２４を設定することによって、容易に部品クラス１８や部品情報１７に運用情報２４を設定することができる。
したがって、部品クラス１８および部品情報１７に運用情報２４を設定する時間を短縮でき、作業効率を向上させることができる。
【０００６】
請求項２の発明は、例えば、図２，図５〜図９に示すように、請求項１記載の部品情報管理装置２において、
製品情報（例えば、製品名称）を入力する製品情報入力手段と、
前記製品情報入力手段により入力された製品情報に基づいて前記部品情報データベース９cから、前記製品情報が示す製品１６に運用できることを示す運用情報２４が設定された部品クラス１８や該部品クラス１８に属する部品情報１７を検索する部品情報検索手段（例えば、ＣＰＵ７等）とを備えることを特徴とする。
【０００７】
請求項２の発明によれば、前記部品情報検索手段が、前記製品情報入力手段により入力された製品情報に基づいて前記部品情報データベース９cから、前記製品情報が示す製品１６に運用できることを示す運用情報２４が設定された部品クラス１８や該部品クラス１８に属する部品情報１７を検索する。
したがって、前記製品情報を入力するだけで、前記製品１６に運用できる部品クラス１８や該部品クラス１８に属する部品情報１７を容易かつ迅速に検索することができる。
これにより、特定の製品１６に運用できる部品を調べて、その部品を発注する場合でも、前記製品情報を入力することによって、製品情報が示す製品１６に運用できる部品クラス１８や部品情報１７が検索されるので、従来と異なり、一覧表から特定の製品１６に運用できる部品情報１７を調べる必要がなく、発注作業をスムーズかつ確実に行うことができる。
【０００８】
検索される前記部品情報１７として、例えば、部品の部品名称や形状、材質、色、用途などがある。また、前記製品情報としては、例えば、製品の製品名称などがある。
【０００９】
請求項３の発明は、例えば、図２，図６〜図１１に示すように、請求項１または２記載の部品情報管理装置２において、
前記運用情報２４が示す製品の製品情報（例えば、製品名称）を格納した運用情報データベース９dと、
部品情報１７を入力する部品情報入力手段（例えば、ＣＰＵ７等）と、
前記部品情報入力手段により入力された部品情報１７と同一の部品情報１７を前記部品情報データベース９cから選択し、選択された部品情報１７に設定される運用情報２４に基づいて前記選択された部品情報１７が運用される製品の製品情報を前記運用情報データベース９dから検索する製品情報検索手段とを備えることを特徴とする。
【００１０】
請求項３の発明によれば、製品情報検索手段が、前記部品情報入力手段により入力された部品情報１７と同一の部品情報１７を前記部品情報データベース９cから選択し、選択された部品情報１７に設定される運用情報２４に基づいて前記選択された部品情報１７が運用される製品の製品情報を前記運用情報データベース９dから検索する。
したがって、従来と異なり、一覧表から部品情報１７が運用される製品の製品情報を調べる必要がなく、前記部品情報１７を入力するだけで、前記部品情報１７が運用される製品の製品情報を容易かつ迅速に検索することができる。
【００１１】
請求項４の発明である部品情報管理システム１は、例えば、図１に示すように、請求項２記載の部品情報管理装置２と、この部品情報管理装置２に通信回線を介して接続可能な検索端末３とを備え、
前記検索端末３には、前記部品情報管理装置２に管理される部品情報データベース９c上の部品情報１７の検索を前記部品情報検索手段に要求する部品情報検索要求手段（例えば、ＣＰＵ、ＲＡＭ）と、
この部品情報検索要求手段の要求により、前記部品情報検索手段が検索した情報（例えば、部品情報１７）を表示する部品情報表示手段（例えば、表示装置）とが設けられていることを特徴とする。
【００１２】
請求項４の発明によれば、前記部品情報管理装置２と、この部品情報管理装置２に接続可能な検索端末３とを備え、前記検索端末３には、前記部品情報管理装置２に管理される部品情報データベース９c上の部品情報１７の検索を前記部品情報検索手段に要求する部品情報検索要求手段を備えているので、前記部品情報検索要求手段が前記部品情報検索手段に部品情報１７の検索を要求することで、前記製品１６の製品情報（例えば、製品名称）に関連する運用情報２４が設定された部品クラス１８や該部品クラス１８に属する部品情報１７が検索される。
また、前記部品情報検索手段によって検索された情報を表示する部品情報表示手段を備えているので、検索された部品情報１７が検索端末３に表示され、容易に検索結果を確認することができる。
したがって、従来と異なり、検索端末３から特定の製品１６の製品情報を入力するだけで、前記製品情報に関連する運用情報２４が設定された部品クラス１８や該部品クラス１８に属する部品情報１７の検索を容易かつ迅速に行うことができる。
【００１３】
ここで、検索端末３とは、例えばパーソナルコンピュータ等を含む構成であり、検索を行うための入力処理が行われるものである。
また、表示手段は、例えば、ＣＲＴ（Cathode Ray Tube）、ＬＣＤ（Liquid Crystal Display）、プリンタ等により構成され、ＣＰＵの表示制御に従い、データベースの検索結果等を画面上あるいはプリンタで出力した用紙に表示する。
【００１４】
請求項５の発明である部品情報管理システム１は、例えば、図１に示すように、請求項３記載の部品情報管理装置２と、この部品情報管理装置２に通信回線を介して接続可能な検索端末３とを備え、
前記検索端末３には、前記部品情報管理装置２に管理される運用情報データベース９d上の製品の製品情報（例えば、製品名称）の検索を前記製品情報検索手段に要求する製品情報検索要求手段（例えば、ＣＰＵ、ＲＡＭ）と、
この製品情報検索要求手段の要求により、前記製品情報検索手段が検索した情報（例えば、製品名称）を表示する製品情報表示手段（例えば、表示装置）とが設けられていることを特徴とする。
【００１５】
請求項５の発明によれば、部品情報管理装置２と、この部品情報管理装置２に接続可能な検索端末３とを備え、前記検索端末３には、前記部品情報管理装置２に管理される運用情報データベース９d上の製品の製品情報の検索を前記製品情報検索手段に要求する製品情報検索要求手段を備えているので、前記製品情報検索要求手段が前記製品情報検索手段に製品の製品情報の検索を要求することで、部品情報１７の有する運用情報２４に基づいて前記部品情報１７が運用される製品の製品情報が検索される。
また、前記製品情報検索手段によって検索された情報を表示する製品情報表示手段を備えているので、検索された製品情報が検索端末３に表示され、容易に検索結果を確認することができる。
したがって、従来と異なり、検索端末３から部品情報１７を入力するだけで、前記部品情報１７の有する運用情報２４に基づいて前記部品情報１７が運用される製品の製品情報の検索を容易かつ迅速に行うことができる。
【００２０】
【発明の実施の形態】
以下、図面を参照して本発明に係る部品情報管理装置、部品情報管理システム、部品情報検索方法および製品情報検索方法について説明する。
図１は、本発明の実施の形態に係る部品情報管理システムの全体構造を示すブロック図である。
本発明における部品情報管理システム１は、エクストラネット（ネットワーク４）を用いて、製品を構成する多数の部品情報１７（図４参照）が管理された部品情報管理装置２と、部品情報１７を検索する検索端末３と、管理端末５とが接続されて構成されている。
【００２１】
部品情報管理装置２は、図２に示すように、内部にＣＰＵ（Central Processing Unit）７と、ＲＡＭ（Random Access Memoy）８と、記録装置９と、入力装置１０と、表示装置１１と、通信装置１２と等を備え、それらはバス１３や各種インターフェースを介して接続されている。
ＣＰＵ７は、記録装置９に格納されているシステムプログラムやデータベースの検索や検索結果の表示処理に対応する各種アプリケーションプログラムや、検索端末３や管理端末５から入力される各種指示信号に応じた各種データ等をＲＡＭ８に格納し、この指示および入力データに応じてＲＡＭ８内に格納したアプリケーションプログラムに従って各種処理を実行し、その処理結果をＲＡＭ８に一時的に格納するとともに、処理結果を通信装置１２を介して検索端末３に送信できる。
また、ＣＰＵ７は、一部あるいは全部の処理結果情報を記録装置９のデータベースに記憶させるようになっている。
【００２２】
具体的に、ＣＰＵ７は、各プログラムに基づいて、後述するように、運用情報設定手段として、部品クラス１８（図４参照）や該部品クラス１８に属する部品情報１７（図４参照）に、ぞれぞれ特定の製品１６（図４参照）に運用できることを示す運用情報２４（図４参照）を設定する処理、運用情報変更手段として、前記運用情報設定手段によって部品情報１７に設定された運用情報２４を部品情報１７毎に変更する処理、部品情報検索手段として、入力装置１０（製品情報入力手段）により入力された製品１６の製品情報（以下、製品１６の製品名称と言う。）に基づいて、記録装置９に格納されている部品情報データベース９cから、前記製品名称に関連する運用情報２４が設定された部品クラス１８や該部品クラス１８に属する部品情報１７を検索する処理、製品情報検索手段として、入力装置１０（前記部品情報入力手段）により入力された部品情報１７と同一の部品情報１７を前記部品情報データベース９cから選択し、選択された部品情報１７の有する運用情報２４に基づいて、前記部品情報１７が運用される製品の製品名称を、記録装置９に格納されている運用情報データベース９dから検索する処理、などを実行する。
【００２３】
ＲＡＭ８は、ＣＰＵ７がプログラム記憶部９aに格納されたプログラムを実行する際に各種データを展開するプログラム格納領域を形成するとともに、ＣＰＵ７が実行する処理に関わるデータを一時的に記憶する記憶領域、入力指示と入力データとによって処理される作業領域等を形成する。
【００２４】
記録装置９は、プログラムやデータ等が予め記憶されたハードディスク装置であり、このハードディスク装置のハードディスクには、プログラム記憶部９aと、データベース記憶部９bとを備える。
また、このデータベース記憶部９bでは、入力装置１０や管理端末５からの操作により、ＣＰＵ７を介して部品情報１７や製品名称を検索したり、部品情報１７や製品名称の追加情報を書き込むことができるようになっている。
この記録装置９は、プログラムやデータ等が記憶された記録媒体を有しているが、この記録媒体は光学的なものの他、磁気的、若しくは半導体メモリ等で構成しても良い。この記録媒体は、記録装置９に固定的に設けたもの（例えば、磁気テープ、ハードディスク等）でも良く、着脱自在に設けたもの（例えば、ＦＤＤ、ＭＯ、ＬＤ、ＤＶＤ、ＺＩＰ等）でも良い。
【００２５】
プログラム記憶部９aは、本発明の部品情報管理装置２におけるデータベース９bの検索処理（所定の部品情報１７が運用される特定の製品の製品名称の検索、所定の製品１６に運用される部品情報１７の検索）、その検索結果の表示処理と、データベース記憶部９bに格納される部品クラス１８や該部品クラス１８に属する部品情報１７に運用情報２４を設定する処理、部品情報１７に設定された運用情報２４を変更する処理に必要なプログラムコード等を記憶している。
【００２６】
データベース記憶部９bは、多数の部品のそれぞれの部品情報１７が格納された部品情報データベース９cと、前記部品情報１７の示す部品と該部品が運用される製品の製品名称とが関連づけられた運用情報データベース９d（図１１参照）などを備えている。
【００２７】
部品情報データベース９cに格納される多数の部品情報１７は、それぞれの部品情報１７が示す部品の種類や属性に基づいて階層的に分類されている。図４を参照して説明すると、多数の部品情報１７が、まず部品階層２３として分類されている。（例えば、下地材、屋根、外装等の住宅における使用場所によって分類されている。）
また、この部品階層２３には、それぞれの部品階層２３に属する多数の部品情報１７が該部品情報１７の属性に基づき、さらに部品クラス１８として分類されている。（例えば、ワイドフラットドア（洋風）、ワイドフラットドア（和風）、ワイドスリットインドア等の形状によって分類されている。）
この部品クラス１８には、特定の製品１６に運用されることを示す運用情報２４がＣＰＵ７により設定されるようになっており、この運用情報２４が部品クラス１８に設定されると、運用情報２４が設定された部品クラス１８に属する部品情報１７全てに部品クラス１８に設定された運用情報２４と同様の製品１６の運用情報２４が設定される。すなわち、前記部品クラス１８に運用情報２４が設定されると、後述する運用情報データベース９d（図１１参照）において、前記部品クラス１８に属する部品情報１７に対応する部品コード（品番）４６と、特定の製品１６の製品名称を示す製品名称コード４７とにフラグが設定される。
【００２８】
前記部品情報１７は、部品コード４６、単価情報、属性種別名情報、属性値情報等を含み、前記属性種別名情報は、部品の表記名称、形状、材質、色、用途などの属性の種別を示す情報である。
前記属性値情報は、前記属性種別名情報を決定する属性値を示す情報であり、例えば、部品そのものの色、形状、材質等を表す値を示す情報である。
【００２９】
前記運用情報データベース９dは、部品情報データベース９c内の部品情報１７がそれぞれ備える部品コード４６（品番）と製品の製品名称を示す製品名称コード４７とが、運用情報２４によって関連づけられたデータテーブルを備えている。（図１１参照）
すなわち、「部品コード」領域４４に格納された多数の部品コード４６と、「製品名称コード」領域４５に格納された多数の製品名称コード４７とが行列状に配置されている。
そして、部品コード４６が示す部品が、特定の製品名称コード４７が示す製品１６に運用される場合は、前記部品コード４６が表示された「部品コード」領域４４と前記製品名称コード４６が表示された「製品名称コード」領域４５とを関連づけるセル（領域）に「１」を書き込み（フラグを設定し）、書き込まれると表示装置１１の「運用情報」欄２４b（図４参照）に例えば○が表示される。
また、部品コード４６が特定の製品名称コード４７が示す製品１６に運用されない場合は、前記部品コード４６が表示された「部品コード」領域４４と前記製品名称コード４７が表示された「製品名称コード」領域４５とを関連づけるセルに「―」を書き込まず（フラグを設定せず）、書き込まれない場合（フラグが設定されない場合）、表示装置１１の「運用情報」欄２４b（図４参照）に例えば×が表示される。
なお、表示装置１１の「運用情報」欄２４bに○や×を設定した場合、前記運用情報データベース９dにおける「部品コード」領域４４と「製品名称コード」領域４５とを関連づけるセル（領域）に「１」を書き込んだり（フラグを設定したり）、「―」を書き込まない（フラグを設定しない）。
【００３０】
通信装置１２は、モデム（ＭＯＤＥＭ：Modulator/DEModulator）、ターミナルアダプタ（ＴＡ：Terminal Adapter）、あるいはルーター等によって構成され、電話回線、ＩＳＤＮ回線、あるいは専用線等の通信回線を介して検索端末３あるいは管理端末５との間で情報や情報取得請求の信号の送受信を行う。
【００３１】
入力装置１０は、キーボードの他、マウス、タッチペン等のポインティングデバイスを備えている。
【００３２】
表示装置１１は、例えば、ＣＲＴ（Cathode Ray Tube）、ＬＣＤ（Liquid Crystal Display）等により構成され、ＣＰＵ７の表示制御に従い、データベース９bの検索結果等の情報（例えば、部品情報１７や製品名称）を画面上に表示する。
【００３３】
印刷装置１４は、プリンタ６aであり、ＣＰＵ７からの指示に従い、データベース記憶部９bに格納された部品情報１７や製品名称を出力して表示する。
【００３４】
検索端末３は、パーソナルコンピュータ等を含む構成であり、ＣＰＵ、ＲＡＭ、ハードディスク装置、入力装置、通信装置と、表示装置、印刷装置等とを備え、それらはバスや各種インターフェースを介して接続されている。
【００３５】
ＣＰＵは、ハードディスク装置に格納されているシステムプログラムやデータベース９bの検索結果の表示処理に対応する各種アプリケーションプログラムや、検索端末３から送信した各種指示信号に応じて部品情報管理装置２から伝送される情報表示に関する処理結果等をＲＡＭに一時的に格納し、この処理結果を表示装置に表示させる処理を行うようになっている。
【００３６】
ＲＡＭは、ＣＰＵがハードディスク装置に格納されたプログラムを実行する際に各種データを展開するプログラム格納領域を形成するとともに、ＣＰＵが実行する処理に関わるデータを一時的に記憶する記憶領域、入力指示と入力データとによって処理される作業領域等を形成する。
【００３７】
ハードディスク装置には、ＯＳ（オペレーティングシステム）等の制御プログラム、ネットワーク接続に必要なアプリケーションプログラム等が記憶されている。
【００３８】
入力装置は、キーボードの他、マウス、タッチペン等のポインティングデバイスを備えており、データベース９bの検索要求項目等の入力に用いる。
【００３９】
通信装置は、モデム（ＭＯＤＥＭ：Modulator/DEModulator）、ターミナルアダプタ（ＴＡ：Terminal Adapter）、あるいはルーター等によって構成され、電話回線、ＩＳＤＮ回線、あるいは専用線等の通信回線を介して部品情報管理装置２との間で情報や情報取得請求の信号の送受信を行う。
【００４０】
印刷装置はプリンタ６bであり、ＣＰＵからの指示に従い、部品情報管理装置２から送信されたデータベース９bの検索結果を印刷する。
【００４１】
管理端末５は、例えば、ＬＡＮケーブルあるいは通信ネットワークを介して部品情報管理装置２に接続し、検索端末３と同様にデータベース９bの検索要求を行うだけでなく、部品情報管理装置２に管理される部品情報データベース９c上の部品クラス１８や部品情報１７に、それぞれ特定の製品１６に運用できることを示す運用情報２４を設定する。
【００４２】
前記管理端末３は、例えば、パーソナルコンピュータ等を含む構成であり、ＣＰＵ、ＲＡＭ、ハードディスク装置、入力装置、通信装置と、表示装置と印刷装置とを備え、それらはバスや各種インターフェースを介して接続される。ＲＡＭ、ハードディスク装置、通信装置、表示装置、印刷装置は前記検索端末と同様の機能を有するので説明を割愛し、ＣＰＵおよび入力装置について説明する。
【００４３】
ＣＰＵは、ハードディスク装置に格納されているシステムプログラムやデータベース９bの検索結果の表示処理に対応する各種アプリケーションプログラムや、管理端末５から送信した各種指示信号に応じて部品情報管理装置２から伝送される情報表示に関する処理結果等をＲＡＭに一時的に格納し、この処理結果を表示装置に表示させる処理や、データベース記憶部９bに記録された情報を変更する場合は、入力装置によってその内容を入力し、変更した情報を前記部品情報管理装置２に送信する処理を行うようになっている。
【００４４】
入力装置は、キーボードの他、マウス、タッチペン等のポインティングデバイスを備えており、検索要求項目、例えば部品情報１７や製品名称等の入力や、データベース記憶部９bへの情報の追加、変更の信号や、登録内容の情報の入力に用いる。
【００４５】
次に、以上のように構成された部品情報管理システム１における部品情報管理装置２が行う運用情報設定処理を、図３に示すフローチャートに沿って説明する。
動作説明の前提として、以下に説明するフローチャートに記述されている各機能を実現するためのプログラムは、読みとり可能なプログラムコードの形態でプログラム記憶部９aに格納されており、ＣＰＵ７は上記プログラムコードに従った動作を逐次実行する。また、ＣＰＵ７は記録媒体に記憶された上記プログラムコードに従った動作を逐次実行することもできる。すなわち、記録媒体を介して外部から供給されたプログラムあるいはデータを利用してこの実施の形態特有の動作を実行することもできる。
【００４６】
まず、ステップＳ１で特定の製品１６に運用される部品の運用情報２４を入力可能な状態で待機する。
具体的には、表示装置１１に部品クラス１８と、部品クラス１８に属する部品情報１７とが表示された部品クラス別運用情報設定画面１５を表示する。なお、特定の製品１６の設定は、例えば、図示しない製品名設定画面を表示装置１１に表示し、この表示画面上で、該表示画面中に設けられた製品名称入力欄に製品名称を入力することで行う。つまり、前記製品名称入力欄に入力された製品名称の製品に運用されうる部品情報１７が部品クラス別運用情報設定画面１５として表示される（図４参照）。
図４に示す部品クラス別運用情報設定画面１５では、特定の製品１６に運用されうる多数の部品の部品情報１７が、該部品の種類や属性に基づいて階層的に、それぞれ部品階層２３や部品クラス１８に分類されて表示される。この画面１５には、左から「部品階層」欄１９、「部品クラス名」欄２０、部品情報欄４３が設けられている。
【００４７】
「部品階層」欄１９には、例えば、住宅等に使用される部品を最も大きなまとまり（ここでは、住宅において使用される場所）で分類された部品階層２３、すなわち下地材、屋根、外装、エクステリア、外部建具等が表示されている。
「部品クラス名」欄２０には、部品階層２３ごとにそれぞれの部品階層２３に属する部品クラス１８が表示される。この表示画面１５では、部品クラス１８として例えば、ワイドフラットドア（洋風）、ワイドフラットドア（和風）、ワイドスリットインドア等が表示されている。また、この「部品クラス名」欄２０には、後述する運用情報２４が表示される「運用情報」欄２４aが設けられている。
部品情報欄４３には、該部品情報欄４３の部品情報１７が属する部品クラス名（例えば、ワイドフラットドア（洋風）、ワイドフラットドア（和風）、ワイドスリットドア等）が表示される「部品クラス名」欄２０a、部品クラス１８の属性種別名（例えば、高さサイズ、巾サイズ、等）が表示される「属性種別名」欄２１、属性値（例えば、ハイドア、ミドルドア等）が表示される「属性値」欄２２が設けられている。また、「部品クラス名」欄２０aには、該部品クラス１８に属する部品が特定の製品１６（ここでは、入力された製品名称が示す製品１６）に運用可能か否かを表示するための「運用情報」欄２４bが設けられている。
【００４８】
そして、画面１５において、所定の部品クラス１８が選択されると、選択された部品クラス１８に属する部品情報１７を表示する。
例えば、「部品階層」欄１９から所望の部品階層２３（例えば、外部建具）がクリック（選択）されると、その部品階層２３（外部建具）に属する部品クラス１８（例えば、ワイドフラットドア洋風、ワイドフラットドア和風、ワイドスリットインドア等）を「部品クラス名」欄２０に一覧表示し、さらに、この「部品クラス名」欄２０から所望の部品クラス１８（例えば、ワイドフラットドア洋風）がクリックされると、クリックにより選択された部品クラス１８（ワイドフラットドア洋風）に属する部品情報１７（例えば、ワイドフラットドア洋風：高さサイズ：ハイドア等）を部品情報欄４３に一覧表示する。
なお、「部品階層」欄１９の所望の部品階層２３が選択されると、この部品階層２３に属する部品クラス１８を「部品クラス名」欄２０に表示させる。
【００４９】
このようなステップＳ１の状態において、部品クラス１８に特定の製品１６に運用されることを示す運用情報２４が設定されたか否かを判別し（ステップＳ２）、部品クラス１８に運用情報２４が設定されていれば、ステップＳ３に移行する。
ステップＳ３では、運用情報２４が設定された部品クラス１８に属する部品情報１７に前記部品クラス１８に設定された運用情報２４と同様の運用情報２４を設定する。
すなわち、部品クラス１８に運用情報２４が設定されると、運用情報２４が設定された部品クラス１８に属する部品情報１７全てに、部品クラス１８に設定された運用情報２４と同様の製品１６の運用情報２４が設定される。
【００５０】
上述したステップＳ２およびステップＳ３の運用情報２４の設定は、部品クラス別運用情報設定画面１５の「部品クラス名」欄２０における「運用情報」欄２４aの○×表記を変更することで行われる。
具体的には、「部品クラス名」欄２０に表示した部品クラス１８が、図示しない前記製品名設定画面で設定された特定の製品１６に運用される場合は、「運用情報」欄２４aに、○を表示させて運用情報２４を設定し、部品クラス１８が、前記特定の製品１６に運用されない場合は、「運用情報」欄２４aに、×を表示させる。
すると、運用情報２４が○に設定された部品クラス１８に属する全ての部品情報１７の運用情報２４を○にし、運用情報２４が×に設定された部品クラス１８に属する全ての部品情報１７の運用情報２４を×にする。すなわち、「部品クラス名」欄２０aにおける「運用情報」欄２４bに○や×が表示される。
【００５１】
上述したように、「部品クラス名」欄２０の「運用情報」欄２４aに○が表示されることで、運用情報データベース９d（図１１参照）では、画面１５の「運用情報」欄２４aに○が表示された部品クラス１８に属する部品情報１７に対応する部品コード４６に、特定の製品１６の製品名称に関連するフラグが設定される（例えば、運用情報データベース９dにおける特定の製品１６の製品名称を示す製品名称コード４７と、○が表示された部品クラス１８に属する部品情報１７の部品コード４６とを関連づけるセルに「１」が書き込まれる）。
また、「部品クラス名」欄２０の「運用情報」欄２４aに×が表示されることで、運用情報データベース９dにおいて、画面１５の「運用情報」欄２４aに×が表示された部品クラス１８に属する部品情報１７に対応する部品コード４６に、特定の製品１６の製品名称に関連するフラグが設定されない（例えば、運用情報データベース９dにおける特定の製品１６の製品名称を示す製品名称コード４７ｇと、×が表示された部品クラス１８に属する部品情報１７の部品コード４６が表示された「部品コード」領域４４とを関連づけるセルに「ー」が書き込まれる）。
【００５２】
なお、運用情報２４の初期値は全て○、つまり、運用情報データベース９d上のセルには「１」が書き込まれた状態である（全ての部品が全ての製品に運用される状態）。よって、特定の製品１６に運用されることを示す運用情報２４を×に変更する場合（部品クラス１８に属する部品情報１７の全てが所定の製品１６に運用されない場合）にのみ、運用情報２４が変更される部品クラス１８がクリックされることで、その部品クラス１８の運用情報２４が×に変更される。
【００５３】
ステップＳ３において、上述したように、運用情報２４が設定された後、ステップＳ４に移行し、部品情報１７に設定された運用情報２４を部品毎に変更させる場合は、ステップＳ５に移行し、変更させない場合は設定を終了する。
具体的には、例えば、図４の表示画面において変更される部品情報１７の運用情報２４がクリックされると、○の運用情報２４を×に変更したり、×の運用情報２４を○に変更する。
この場合、同部品クラス１８に属する部品情報１７のうち、同製品１６に運用されることを示す運用情報２４が設定されているものと設定されていないものとが混在している場合、つまり、同部品クラス１８に属する部品情報１７において同一の製品１６に運用できることを示す運用情報２４が設定されているものと設定されていないものとが混在する場合には、これら部品情報１７が属する部品クラス１８の「運用情報」欄２４aに、運用情報２４の混在を示す表示（例えば、図４では○を△に変更して表示）を行うことで容易に視認できるようになっている。
このようにして、それぞれ部品クラス１８の運用情報２４が設定されて、画面１５下の「設定終了」ボタン２５がクリックされると、運用情報設定処理を終了する。
【００５４】
次に、上述したように運用情報２４が設定された部品クラス１８および部品情報１７を管理する部品情報管理装置２を用いて、特定の製品１６に運用できる部品クラス１８および部品情報１７を検索する部品情報検索処理について説明する。
まず、図５に示すように、ステップＳ１１では、特定の製品１６の製品名称を入力可能な状態にする。
具体的には、照会条件入力画面２６（図６参照）を表示させる。この照会条件入力画面２６には、製品名称を入力する「製品情報入力」欄２７と、部品情報１７を入力する「部品情報入力」欄２８とが設けられている。
前記「製品情報入力」欄２７には、特定の製品１６の製品名称を具体的に入力する「製品ブランド」欄２９や「製品シリーズ」欄３０、「製品」欄３１が設けられている。
前記「部品情報入力」欄２８には、選択された部品の属する部品クラス１８を表示する「部品クラス」欄３２や部品の仕様属性を表示する「仕様属性」欄３３が設けられており、「仕様属性」欄３３には、「属性種別名」欄３４と「属性値」欄３５とがある。これら「属性種別名」欄３４と「属性値」欄３５には、選択された部品情報１７の属性種別名と属性値とが表示される。
また、画面２６の下部には、後述する部品固有情報照会画面３６（図９参照）を表示させる「照会」ボタン３７、部品クラスツリー画面３８（図７参照）を表示させる「クラスツリー」ボタン３９等が設けられている。
【００５５】
そして、ステップＳ１１において製品名称が入力されたか否かを判別（ステップＳ１２）し、製品名称が入力されている場合はステップＳ１３に移行する。
具体的には、前記照会条件入力画面２６における製品名称の入力方法として、まず「製品ブランド」欄２９や「製品シリーズ」欄３０、「製品」欄３１に、設けられたポップアップメニューから、所望の製品ブランドや製品シリーズ、製品名を選択し、これらが選択されることでその製品ブランドや製品シリーズ、製品名を各欄２９〜３１に表示する。
そして、選択を終了して、部品クラス１８の一覧表を表示する「クラスツリー」ボタン３９がクリックされることで特定の製品１６の製品名称の入力が終了する。
ステップＳ１３では、運用情報データベース９d（図１１参照）上で入力された製品名称と同一の製品名称を検索し、該製品名称に運用される運用情報２４が設定された部品情報１７を検索して部品クラスツリー画面３８（図７参照）として表示し、ステップＳ１４に移行する。
【００５６】
ステップＳ１４では、検索する部品が属する部品クラス１８が入力されたか否かを判別し、部品クラス１８が入力されている場合はステップＳ１５に移行する。
具体的には、前記部品クラスツリー画面３８において、所望の部品クラス１８をクリック（選択）するとともに、画面３８下の「選択確定」ボタン４０をクリック（選択）することで行われる。
そして、図８に示す照会条件入力画面４１を表示し、部品情報入力欄２８の「部品クラス」欄３２に部品クラスツリー画面３８で選択された部品クラス１８が表示される。
【００５７】
ステップＳ１５では、ステップＳ１４で入力された部品クラス１８に属する部品情報１７に設定されている仕様属性を表示し、これら仕様属性を選択可能な状態にする。
そして、このステップＳ１５において、属性種別名を決定する属性値が入力されたか否かを判別し（ステップＳ１６）、入力されていればステップＳ１７に移行する。
具体的には、図８に示す照会条件入力画面４１において、「仕様属性」欄３３の「属性種別名」欄３４と「属性値」欄３５で、所望の属性種別名と属性値とをポップアップメニューから選択し、「属性種別名」欄３４や「属性値」欄３５に、それぞれ属性種別（例えば、用途、タイプ等）や属性値（例えば、パラペット用等）を表示させるとともに、照会ボタン３７をクリックして入力を終了する。
【００５８】
ステップＳ１７では、入力された各情報に基づいて、運用情報データベース９d（図１１参照）上において入力された製品名称と同様の製品を示す製品名称コード４７に運用情報２４により関連づけられた部品コード４６（フラグが設定された状態の部品コード４６）を検索し、検索された部品コード４６を有する部品情報１７を部品情報データベース９cから検索する。
加えて、これら運用情報２４が設定された部品情報１７から、入力された属性値情報と同様の属性値情報を備える部品情報１７を検索し、該部品情報１７を部品固有情報照会一覧３６（図９参照）として表示装置１１に一覧表示する。
この部品固有情報照会一覧３６には、検索された部品情報１７の起案Ｎｏ、品番、名称、規格寸法等が表示される。
なお、それぞれの部品情報１７に設けられた選択ボタン４２がクリックされると、前記一覧表示された部品情報１７の詳細を表示した部品固有情報照会明細画面（図示しない）を表示できるようになっている。
【００５９】
次に、運用情報２４が設定された部品クラス１８および部品情報１７を管理する部品情報管理装置２を用いて、特定の部品情報１７が運用される製品の製品名称を検索する製品情報検索処理を図１０を参照してについて説明する。
まず、ステップＳ２１では、特定の部品情報１７を入力可能な状態にする。
具体的には、特定の部品情報１７を入力するための画面を表示装置１１に表示させる。
【００６０】
ステップＳ２２では、ステップＳ２１において特定の部品情報１７が入力されたか否かを判別し、特定の部品情報１７が入力された場合は、ステップＳ２３に移行する。
【００６１】
ステップＳ２３では、入力された特定の部品情報１７に基づいて、部品情報データベース９c（図１１参照）上において入力された部品情報１７が有する部品コード４６を検索する。そして、運用情報データベース９d上において、検索された部品コード４６に特定の製品１６に運用されることを示す運用情報２４により関連づけられた製品の製品名称コード４７（フラグが設定された状態の製品名称コード４７）を検索し、特定の部品情報１７が運用される製品の製品名称を表示装置１１の画面に表示して検索を終了する。
【００６２】
なお、ステップＳ２１〜ステップＳ２３における処理は、具体的には例えば、以下のようにして行われる。
まず、部品クラスツリー画面３８（図７参照）を表示させる。そして、この部品クラスツリー画面３８において、所望の部品クラス１８がクリック（選択）されて、画面３８の下部の「選択確定」ボタン４０がクリック（選択）されると、部品情報入力画面（図示しない）を表示する。
この部品情報入力画面には、部品クラス１８が入力される「部品クラス」欄や部品クラス１８の属性種別名や属性値が入力される「属性種別名」欄、「属性値」欄が設けられている。
【００６３】
そして、「部品クラス」欄には、部品クラスツリー画面３８で選択された部品クラス１８を入力し、「属性種別名」欄や「属性値」欄には、それぞれのポップアップメニューから属性種別名や属性値が選択されて、各欄に属性種別名や属性値を入力して、部品情報１７の入力を終了する。
このように部品情報１７が入力されると、この入力された特定の部品情報１７が有する部品コード４６を部品情報データベース９cから検索し、検索された部品コード４６に運用情報２４が関連づけられた製品の製品名称コード４７を運用情報データベース９dから検索する。そして、表示装置１１の画面に、検索された製品の製品名称を表示して検索を終了する。
【００６４】
本発明の実施の形態に基づく部品情報管理装置２、部品情報管理システム１、部品情報検索方法および製品情報検索方法によれば、部品クラス１８に運用情報２４を設定した際に、運用情報２４が設定された部品クラス１８に属する部品情報１７すべてに部品クラス１８に設定された運用情報２４と同様の製品１６の運用情報２４が設定されるので、従来と異なり、多数の部品の部品情報（部品名称）１７を記載して、この記載した部品情報（部品名称）１７ごとにそれぞれ運用情報２４を設定する手間のかかる作業を行い、一覧表を作成しなくても、部品情報１７が属する部品クラス１８に運用情報２４を設定することによって、容易に部品クラス１８や部品情報１７に運用情報２４を設定することができる。したがって、部品クラス１８および部品情報１７に運用情報２４を設定する時間を短縮でき、作業効率を向上させることができる。
【００６５】
また、入力された製品名称に基づいて部品情報データベース９cから、製品名称が示す製品１６に運用できることを示す運用情報２４が設定された部品クラス１８や該部品クラス１８に属する部品情報１７を検索するので、製品名称を入力するだけで、製品１６に運用できる部品クラス１８や該部品クラス１８に属する部品情報１７を容易かつ迅速に検索することができる。
これにより、特定の製品１６に運用できる部品を調べて、その部品を発注する場合でも、製品名称を入力することによって、製品名称が示す製品１６に運用できる部品クラス１８や部品情報１７が検索されるので、従来と異なり、一覧表から特定の製品１６に運用できる部品情報１７を調べる必要がなく、発注作業をスムーズかつ確実に行うことができる。
【００６６】
さらに、入力された部品情報１７と同一の部品情報１７を部品情報データベース９cから選択し、選択された部品情報１７に設定される運用情報２４に基づいて前記選択された部品情報１７が運用される製品の製品情報を運用情報データベース９dから検索するので、従来と異なり、一覧表から部品情報１７が運用される製品の製品名称を調べる必要がなく、前記部品情報１７を入力するだけで、前記部品情報１７が運用される製品の製品名称を容易かつ迅速に検索することができる。
【００６７】
【発明の効果】
請求項１の発明によれば、多数の前記部品情報に運用情報を個別に設定して、手間のかかる一覧表を作成しなくても、部品情報が属する部品クラスに前記運用情報を設定することによって、容易に部品クラスや部品情報に運用情報を設定することができる。
したがって、部品クラスおよび部品情報に運用情報を設定する時間を短縮でき、作業効率を向上させることができる。
【００６８】
請求項２の発明によれば、請求項１と同様の効果を得ることができるのは勿論のこと、従来と異なり一覧表から特定の製品に運用できる部品情報を調べる必要がなく、前記製品情報（製品名称）を入力するだけで、前記製品に運用できる部品クラスや該部品クラスに属する部品情報を容易かつ迅速に検索することができる。
【００６９】
請求項３の発明によれば、請求項１または２と同様の効果を得ることができるのは勿論のこと、従来と異なり一覧表から部品情報が運用される製品の製品情報（製品名称）を調べる必要がなく、前記部品情報を入力するだけで、前記部品情報が運用される製品の製品情報を容易かつ迅速に検索することができる。
【００７０】
請求項４の発明によれば、前記部品情報管理装置と、この部品情報管理装置に接続可能な検索端末とを備え、前記検索端末には、前記部品情報管理装置に管理される部品情報データベース上の部品情報の検索を前記部品情報検索手段に要求する部品情報検索要求手段を備えているので、検索端末から特定の製品の製品情報（製品名称）を入力するだけで、前記製品情報に関連する運用情報が設定された部品クラスや該部品クラスに属する部品情報の検索を容易かつ迅速に行うことができる。
また、前記部品情報検索手段によって検索された情報を表示する部品情報表示手段を備えているので、検索された部品情報が検索端末に表示され、容易に検索結果を確認することができる。
【００７１】
請求項５の発明によれば、部品情報管理装置と、この部品情報管理装置に接続可能な検索端末とを備え、前記検索端末には、前記部品情報管理装置に管理される運用情報データベース上の製品の製品情報の検索を前記製品情報検索手段に要求する製品情報検索要求手段を備えているので、検索端末から部品情報を入力するだけで、前記部品情報の有する運用情報に基づいて前記部品情報が運用される製品の製品情報（製品名称）の検索を容易かつ迅速に行うことができる。
また、前記製品情報検索手段によって検索された情報を表示する製品情報表示手段を備えているので、検索された製品情報が検索端末に表示され、容易に検索結果を確認することができる。
【図面の簡単な説明】
【図１】本発明にかかる部品情報管理システムの全体構成を示すシステム図である。
【図２】本発明にかかる部品情報管理装置の要部構成を示すブロック図である。
【図３】本発明にかかる運用情報設定処理のフローチャートである。
【図４】図３の運用情報設定処理中の運用情報設定画面の画面構成を示す図である。
【図５】本発明にかかる部品情報検索処理のフローチャートである。
【図６】図４の部品情報検索処理中の部品情報および製品情報を入力する入力画面を示す図である。
【図７】図４の部品情報検索処理中の部品クラス選択画面を示す図である。
【図８】図４の部品情報検索処理中の部品情報および製品情報を入力する入力画面を示す図である。
【図９】図４の部品情報検索処理中の検索結果の表示画面を示す図である。
【図１０】本発明にかかる製品情報検索処理のフローチャートである。
【図１１】図２に示すデータベース記憶部に格納された運用情報データベースを示す図である。
【符号の説明】
１  部品情報管理システム
２  部品情報管理装置
３  検索端末
９c  部品情報データベース
９d  運用情報データベース
１６  製品
１７  部品情報
１８  部品クラス
２４  運用情報
【図１】
0004580112.tif 000002
【図２】
0004580112.tif 000003
【図３】
0004580112.tif 000004
【図４】
0004580112.tif 000005
【図５】
0004580112.tif 000006
【図６】
0004580112.tif 000007
【図７】
0004580112.tif 000008
【図８】
0004580112.tif 000009
【図９】
0004580112.tif 000010
【図１０】
0004580112.tif 000011
【図１１】
0004580112.tif 000012